(57)【要約】【課題】  超磁歪アクチュエータを適切な配置で取付対象物に取り付けることができ、発音具から外部への音漏れが少なく、種々の取付対象物を音の伝達媒体にすることができる超磁歪アクチュエータを用いた発音具１０ａを提供する。【解決手段】  超磁歪アクチュエータ２と、前記超磁歪アクチュエータ２のケース２１を保持する保持部材１１と、前記超磁歪アクチュエータ２の可動ロッドの端部を取付対象物Ａに接触させるように、前記保持部材１１を取付対象物Ａに対して着脱自在に固定させる固定部材１２と、前記保持部材１１と超磁歪アクチュエータ２の間に配置された弾性部材１３と、を備えることを特徴とする超磁歪アクチュエータ２を用いた発音具１０ａである。【選択図】  図２
2007081838.tif 000002
【特許請求の範囲】
【請求項１】
超磁歪素子と、前記超磁歪素子に磁界を印加する磁石と、前記超磁歪素子に磁界変化を与えるコイルと、前記超磁歪素子、磁石、及びコイルを収納するケースと、一端が前記超磁歪素子と連結し、他端が前記ケースから突出した可動ロッドと、を有する超磁歪アクチュエータと、
前記超磁歪アクチュエータのケースを保持する保持部材と、
前記超磁歪アクチュエータの可動ロッドの他端を取付対象物に接触させるように、前記保持部材を取付対象物に対して着脱自在に固定させる固定部材と、
前記保持部材と超磁歪アクチュエータの間に配置された弾性部材と、を備えることを特徴とする超磁歪アクチュエータを用いた発音具。
【請求項２】
前記固定部材は、吸着性を有する弾性材であることを特徴とする請求項１に記載の超磁歪アクチュエータを用いた発音具。
【請求項３】
前記固定部材は、着磁済み強磁性材料であることを特徴とする請求項１又は請求項２に記載の超磁歪アクチュエータを用いた発音具。
【発明の詳細な説明】
【技術分野】
【０００１】
本発明は、超磁歪素子を備える超磁歪アクチュエータを用いた発音具に関する。
【背景技術】
【０００２】
超磁歪アクチュエータは、磁界の強さに応じて生じる超磁歪素子の寸法変化（伸縮）を利用したもので、高速かつ大変位・高パワーなアクチュエータとして近年注目されている。従来、超磁歪素子の特性を利用して、スピーカ等の一般向け音響器具において、超磁歪素子が用いられていた。
【０００３】
かかる音響器具は、音声信号としての電気信号を入力されると、それに応じた磁界を発生し、さらに、その磁界により超磁歪素子を伸縮させて、それにより振動板を振動させることにより、空気を震わせて音を出力していた。
【０００４】
例えば、特許文献１には、音響電気信号電流源に接続されたコイルと、コイル内に設けられた超磁歪材と、超磁歪材の一端を固定する外箱と、超磁歪材の他端に取り付けられた振動伝達体とからなり、振動伝達体を他の任意の物体に接触させてその物体を過振発音するようにした発音体が記載されている。この発音体は、振動伝達体を任意の物体に接触させることにより、超磁歪材の振動を発音対象物となる物体に伝達し、その物体を加振発音することができる。
【特許文献１】実開平４−９２８９９号公報
【発明の開示】
【発明が解決しようとする課題】
【０００５】
前記発音体は、超磁歪材の振動によって音を伝達するため、振動伝達体を取付対象物に正確に取り付ける必要がある。そのため、前記発音体を取り付ける際は、手等で保持して物体に取り付けるか、新たに取付具を設ける等正確に取り付ける必要があった。また、正確に音を伝達するためには、取付精度を高めなければならず、前記発音体の設置精度、取付作業に高い技術が要されていた。
【０００６】
従って、本来種々の用途に適用可能な超磁歪アクチュエータであるが、その取り付けに手間がかかり、必要に応じて適宜な場所に設置することが困難であった。そのため、十分に活用することができず、超磁歪アクチュエータを広く普及させることの妨げとなっていた。
【０００７】
また、超磁歪アクチュエータを取付対象物に固定すると、その取付方法によっては、該取付対象物に対して音を伝達するのみならず、発音体の外部に音が漏れるおそれがあった。
【０００８】
本発明は、前記種々の問題に鑑みてなされたものであり、超磁歪アクチュエータを適切な配置で取付対象物に取り付けることができ、発音具から外部への音漏れが少なく種々の取付対象物を音の伝達媒体にすることができる超磁歪アクチュエータを用いた発音具を提供することを技術的課題とする。
【課題を解決するための手段】
【０００９】
本発明は、前記問題に鑑みて以下のように構成されている。超磁歪素子と、超磁歪素子に磁界を印加する磁石と、前記超磁歪素子に磁界変化を与えるコイルと、前記超磁歪素子、磁石、及びコイルを収納するケースと、一端が前記超磁歪素子と連結し、他端が前記ケ
ースから突出した可動ロッドと、を有する超磁歪アクチュエータと、前記超磁歪アクチュエータのケースを保持する保持部材と、前記超磁歪アクチュエータの可動ロッドの他端を取付対象物に接触させるように、前記保持部材を取付対象物に対して着脱自在に固定させる固定部材と、前記保持部材と超磁歪アクチュエータの間に配置された弾性部材と、を備えることを特徴とする超磁歪アクチュエータを用いた発音具である。
【００１０】
本発明に係る超磁歪アクチュエータを用いた発音具によれば、前記保持部材によって超磁歪アクチュエータを保持し、その保持部材を固定部材によって着脱自在に取付対象物に取り付け、取付対象物に振動を伝え、取付対象物から音を発生させることができる。また、超磁歪アクチュエータと保持部材との間には、弾性部材が設けられているため、超磁歪アクチュエータからの振動が保持部材へ伝わるのを防ぎ、発音具から外部への音漏れを防止できる。
【００１１】
例えば、保持部材と超磁歪アクチュエータを固定接合すると、超磁歪アクチュエータの振動が取付対象物のみならず、微小ではあるが保持部材に伝わり、保持部材を介して外部に伝達し、音が漏れるおそれがある。しかし、前記弾性部材を設けることにより、弾性部材が振動を吸収することができる。
【００１２】
さらに、前記弾性部材を設けることにより、超磁歪アクチュエータの取付精度が十分でない場合においても、弾性部材によってその誤差を吸収し、超磁歪アクチュエータの振動をより正確に取付対象物に伝達することが可能となる。
【００１３】
また、本発明に係る超磁歪アクチュエータを用いた発音具は、前記固定部材が、吸着性を有する弾性材であることを特徴とすることが望ましい。前記吸着性とは、取付対象物である物体に吸い付く性質である。前記固定部材が吸着性を有することにより、固定部材を介して超磁歪アクチュエータを容易に取付対象物に固定することができる。また、超磁歪アクチュエータと取付対象物との吸着力が高くなり、発音具の安定性が高くなる。
【００１４】
さらに、固定部材が吸着性を有することにより、超磁歪アクチュエータの可動ロッドの先端、すなわち振動を伝える部分を取付対象物に向けて荷重をかけることができる。従って、発音具の自重に加えて、吸着力の荷重が加わり、より効率よく振動を伝達することが可能となる。加えて、前記固定部材が弾性材であることにより、発音具に対する外力を吸収し、超磁歪アクチュエータの振動のみを取付対象物に伝えやすくすることができる。
【００１５】
尚、本発明に係る取付対象物は、超磁歪アクチュエータの振動を伝達できる硬度を有するものであれば良く、種々の材質が対象であるが、特に金属部材は振動の伝達率がよく、好適に用いることができる。
【００１６】
このように取付対象物として鉄等の磁性金属を用いる際は、前記固定部材が着磁済みのハード材（強磁性体）であることが望ましい。取付対象物が磁気性を備える場合において、前記固定部材が着磁済みの強磁性材料であることにより、発音具を取付対象物に容易に取り付けることができ、またその取り外しも容易に行うことができる。さらに、必要に応じて磁気性を高めることにより、超磁歪アクチュエータと取付対象物との吸着性を高めることが可能である。
【００１７】
上述の超磁歪アクチュエータを用いた発音具は、種々の取付対象物に固定することにより、振動を伝達し、取付対象物から音声を出力することができる。例えば、テーブル、棚等の家具、ドア、キッチン、窓等の住宅設備、各種ディスプレイ装置、を取付対象物とすることができ、音を発する発音体（スピーカ）として適用できるのみならず、トランシーバのように音の伝達媒体として通信を行うこともできる。
【発明の効果】
【００１８】
本発明に係る超磁歪アクチュエータを用いた発音具によれば、超磁歪アクチュエータを適切な配置で取付対象物に取り付けることができるともに、発音具から外部への音漏れが少なく種々の取付対象物を音の伝達媒体にすることが可能となる。
【発明を実施するための最良の形態】
【００１９】
＜実施の形態１＞
以下、本発明の好適な実施の形態１について、図面を参照して説明する。本実施の形態１は、テーブルＡに超磁歪アクチュエータ２を用いた発音具１０ａを取り付け、テーブルＡを音の伝達媒体とした実施形態である。図１は、実施の形態１に係る超磁歪アクチュエータ２を用いた発音具１０ａをテーブルＡに取り付けた状態の斜視図であり、図２は、超磁歪アクチュエータ２を用いた発音具１０ａの断面図である。図２（ａ）は、発音具１０ａがテーブルＡに固定されていない状態であり、図２（ｂ）は、発音具１０ａがテーブルＡに固定されている状態である。
【００２０】
超磁歪アクチュエータ２を用いた発音具１０ａは、ガラス製のテーブルＡに着脱自在に取り付けられている。発音具１０ａには、バッテリー駆動アンプ３が接続されており、このバッテリー駆動アンプ３には、音源であるＰＤＡ４が接続されている。前記バッテリー駆動アンプ３は、バッテリーの機能を備えたアンプであり、音源であるＰＤＡ４から入力された音声を大きく調整する。
【００２１】
前記発音具１０ａは、図３に詳細に示す超磁歪アクチュエータ２と、超磁歪アクチュエータ２のケース２１を保持する保持部材１１と、超磁歪アクチュエータ２の可動ロッド２２の端部をテーブルＡに接触させるように、保持部材１１をテーブルＡに着脱自在に取り付ける固定部材としての吸盤１２と、前記保持部材１１と超磁歪アクチュエータ２との間に配置された弾性材としてのゴム材１３と、前記ゴム材１３を介して前記超磁歪アクチュエータ２を保持部材１１内に固定する螺子１４と、を備えている。
【００２２】
前記発音具１０ａは、保持部材１１と超磁歪アクチュエータ２との間にゴム材１３が設けられているため、超磁歪アクチュエータ２の振動を保持部材１１に伝わりにくくし、音の伝達対象物であるテーブルＡにのみ伝わりやすくすることができる。よって、発音具１０ａから外部への音漏れを防止することができる。また、前記発音具１０ａは吸盤１２を備えているため、発音具１０ａのテーブルＡに対する吸着力を高めることができ、発音具１０ａの安定性の向上及び超磁歪アクチュエータ２のテーブルＡへの荷重を付加することができる。
【００２３】
図２（ａ）に示すように、発音具１０ａがテーブルＡに取り付けられていない状態では、吸盤１２とゴム材１３は圧縮力を受けてなく、弾性変形していない。これ対して、発音具１０ａがテーブルＡに取り付けられると、図２（ｂ）に示すように、吸盤１２の吸着力により、吸盤１２とゴム材１３が圧縮力を受け、弾性変形する。図２に示す発音具１０ａは、高さ方向においてΔＬ分圧縮変形する。この際のテーブルＡに対する発音具１０ａ及び超磁歪アクチュエータ２にかかる力Ｆは、超磁歪アクチュエータ２を含む発音具１０ａの自重Ｆ１＋吸盤１２の吸着力Ｆ２となる。すなわち、固定部材に吸盤１２を用いることにより、吸盤１２の吸着力の分だけ超磁歪アクチュエータ２の設置力が高まり、テーブルＡへの振動の伝達性を向上させることができる。
【００２４】
次いで、図３を参照して、発音具１０ａを構成する超磁歪アクチュエータ２について詳細に説明する。超磁歪アクチュエータ２は、超磁歪素子２７と、超磁歪素子２７に磁界変化を与えるコイル２８と、超磁歪素子２７に圧縮荷重を加えるばね２４と、超磁歪素子２
７にバイアス磁界を印加する磁石（マグネット）２５、２６とがケース２１内に収納されている。超磁歪素子２７の基端はケース２１内に位置決めされ、自由端には可動ロッド２２が連結され、その可動ロッド２２とケース２１との間にばね２４が配置されている。そして、ケース２１、可動ロッド２２及びばね２４は鉄などの磁性材料で形成されている。
【００２５】
ケース２１は、一端側（図３において上端）が開口した有底筒状のケース本体２１ａ、と、そのケース本体２１ａの開口部を閉じる蓋２３とを備えている。ばね２４はこの実施形態では皿ばねとして形成されている。そして、可動ロッド２２の先端はこの皿ばね２４の中心部及び蓋２３に同軸に設けられた穴２４ａ、２３ｂをそれぞれ貫通して外部に突出している。皿ばね２４の周縁部はケース本体２１ａの内面に密接して蓋２３の穴２３ｂをケース２１内から覆っている。
【００２６】
蓋２３の内面には皿ばね２４の周縁部を嵌め込んで位置決めする皿ばね用凹部（第１凹部）２３ａが設けられている。蓋２３の内面に皿ばね２４の周縁部を嵌め込んで位置決めする第１凹部２３ａを設けたのは、皿ばね２４自体を確実に位置決めするためである。さらに、皿ばね２４の中心部を貫通する可動ロッド２２も皿ばね２４によって位置決め（芯出し）可能にするためである。可動ロッド２２のフランジ２２ｂは、途中に段部２２ｃを有する二段構成である。この段部２２ｃに前記皿ばね２４の中心部の穴２４ａを嵌合させることにより、密着構造となる。
【００２７】
超磁歪素子２７にバイアス磁界を印加する磁石２５，２６は、超磁歪素子２７の基端及び自由端にそれぞれ配置されている。可動ロッド２２の基端部には、超磁歪素子２７の自由端とその自由端に配置された磁石２５とを嵌め込んで位置決めする連結用凹部（第２凹部）２２ａが設けられている。この可動ロッド２２の基端部には、その基端部を大径にするためのフランジ２２ｂが設けられている。第２凹部２２ａは下向き開口の凹部として形成されている。この第２凹部２２ａの深さは、磁石２５の厚さよりも深く形成されている。これにより、第２凹部２２ａ内には磁石２５が収容され、さらに超磁歪素子２７の自由端も挿入されている。
【００２８】
このような深さの第２凹部２２ａを設けたのは、第２凹部２２ａによって、超磁歪素子２７の自由端とその自由端に配置された磁石２５との両方を可動ロッド２２に対して同軸に位置決め可能にするためである。これにより、超磁歪素子２７の自由端とその自由端に配置された磁石２５と可動ロッド２２の基端部とが位置ずれしないように高精度に芯出しして連結することができる。この結果、超磁歪素子２７、磁石２５、及び可動ロッド２２を接着材等を使用しなくても連結することが可能になる。勿論、接着材等により連結することもできる。
【００２９】
ケース本体２１ａの底面部２１ｂには、超磁歪素子２７の基端部と、その基端部に配置された磁石２６と、を嵌め込んで位置決めする位置決め用凹部（第３凹部）２１ｃが設けられている。この第３凹部２１ｃは上向き開口の凹部として形成されている。この第３凹部２１ｃの深さは、磁石２６の厚さよりも深く形成されている。これにより、第３凹部２１ｃ内には磁石２６が収容され、さらに超磁歪素子２７の基端部も挿入されている。
【００３０】
このような深さの第３凹部２１ｃを設けたのは、第３凹部２１ｃによって、超磁歪素子２７の基端部とその基端部に配置された磁石２６との両方をケース本体２１ａの底面部２１ｂに対して同軸に位置決めするためである。これにより、超磁歪素子２７の基端とその基端に配置された磁石２６とがケース本体２１ａの底面部２１ｂから位置ずれしないように高精度に芯出しして位置決めすることができる。
【００３１】
ケース本体２１ａの底面部２１ｂには、コイル２８のボビン２９の一部を嵌め込んで固
定するボビン用凹部（第４凹部）２１ｄが設けられている。ボビン２９は、超磁歪素子２７が貫通する円筒部と、その両端に設けられた円板状フランジを有している。従って、第４凹部２１ｄの平面形状はこのボビン２９の端面の形状に対応する。いわゆるドーナツ状の凹部として形成されている。この第４凹部２１ｄを設けたのは、コイル２８のボビン２９をケース本体２１ａの底面部２１ｂに対して確実に位置決めして、超磁歪素子２７とボビン２９との間の隙間を高精度にかつ微少隙間に設定可能にするためである。なお、底面部２１ｂの中央部分には円筒状のリブが立ち上げられており、このリブによって前記第３凹部２１ｃ及び第４凹部２１ｄが形成されている。
【００３２】
また、この実施の形態１では、ケース本体２１ａ及び蓋２３からなるケース２１と、可動ロッド２２と、皿ばね２４とが磁性材料で形成されているのに加えて、コイル２８のボビン２９は熱伝導性樹脂で形成されている。ボビン２９を熱伝導性樹脂で形成することにより、ボビン２９自体の放熱性を高めることができる。即ち、発熱するコイル２８及び超磁歪素子２７からの放熱効果を高めることができ、発熱によりそれぞれの特性が変化して振動状態が変わり、音声の高域特性が悪化するといった問題を解決することができる。
【００３３】
また、この実施の形態１によれば、ケース２１、可動ロッド２２及び皿ばね２４が磁性材料で形成されているので、超磁歪素子２７の両端に配置してあるバイアス磁界印加用の磁石２５，２６による磁界は、図３において矢印付き破線で示すように、可動ロッド２２、皿ばね２４及びケース２１を経由する完全磁気回路（閉ループ）を構成する。これにより、超磁歪アクチュエータ２の高効率化を実現することができる。この結果、バッテリー駆動も実現できるので、この超磁歪アクチュエータ２を例えばモバイル商品等へ組み込むことも可能となる。さらに、このように高効率化を図ることで、その分、小型化も図ることができる。
【００３４】
次いで、このように構成された超磁歪アクチュエータ２を用いた発音具１０aの取付及
び使用方法について説明する。取付方法は、超磁歪アクチュエータ２の可動ロッド２２の先端とテーブルＡとが接触するように構成する。尚、本実施の形態１では、取付対象物であるテーブルＡが鏡面であるため超磁歪アクチュエータ２を直接テーブルＡに固定したが、テーブルＡが非鏡面の場合には、超磁歪アクチュエータ２とテーブルＡとの間にシール等からなる鏡面薄板１６を設けることが望ましい（図４参照）。これにより、超磁歪アクチュエータ２を吸着固定可能となる。
【００３５】
前記発音具１０ａのテーブルＡに対する設置圧は、高い方が望ましい。設置圧が高まることにより、超磁歪アクチュエータ２の安定性が向上するとともに、振動がよく伝達し、より良い音色を出力することが可能となる。本実施の形態１に係る発音具１０ａは、前記吸盤１２の吸着力によって設置圧を高めることができる。また、ゴム材１３も弾性力を有しており螺子１４で固定されているため、発音具１０ａをテーブルＡに取り付けた状態でゴム材Ａが弾性変形することにより超磁歪アクチュエータ２をテーブルＡ側に押圧し、設置圧を高めることができる。
【００３６】
本実施の形態１では、超磁歪素子２７の直径が３ｍｍであり、超磁歪アクチュエータ２をテーブルＡに対して０．３５ｋｇ付加するように調整した。但し、この値は実施態様によって適宜に変更することが望ましく、超磁歪アクチュエータ２の超磁歪素子２７の面積において５ｋｇ／ｃｍ２を超えない範囲であればよい。
【００３７】
以上のように実施の形態１によれば、超磁歪アクチュエータ２を用いた発音具１０ａを取付対象物であるテーブルＡに適切な配置で取り付けることができ、外部への音漏れを防ぎ種々も目的に適用することができる。なお、本実施の形態１は、テーブルＡに超磁歪アクチュエータ２を取り付けたが、本発明はこれに限られず、スピーカとして用いるだけで
なく、複数を用いて、取付対象物を音の伝達媒体として通信を行うことも可能である。
【００３８】
＜実施の形態２＞
実施の形態２に係る発音具１０ｂは、実施の形態１の発音具１０ａの固定部材である吸盤１２を磁性部材である磁石１５ａ,ヨーク１５ｂに変えたものである。他の構成につい
ては、前記実施の形態１と同様であるため、同符号を用いて説明を省略する。図５は、超磁歪アクチュエータ２用いた発音具１０ｂの断面図である。図５（ａ）は、発音具１０ｂがテーブルＢに固定されていない状態であり、図５（ｂ）は、発音具１０ｂがテーブルＢに固定された状態である。
【００３９】
発音具１０ｂは、磁性金属製のテーブルＢに着脱自在に取り付けられている。発音具１０ｂには、バッテリー駆動アンプ３が接続されており、このバッテリー駆動アンプ３には、音源であるＰＤＡ４が接続されている。
【００４０】
前記発音具１０ｂは、前記超磁歪アクチュエータ２と、前記保持部材１１と、前記固定部材としての磁石１５ａ，ヨーク１５ｂと、前記ゴム材１３と、前記螺子１４と、を備えている。
【００４１】
前記発音具１０ｂは、前記発音具１０ａと同様に、保持部材１１と超磁歪アクチュエータ２との間にゴム材１３が設けられているため、超磁歪アクチュエータ２の振動を保持部材１１に伝わりにくくし、テーブルＢにのみ伝わりやすくすることができる。よって、発音具１０ｂから外部への音漏れを防止することができる。
【００４２】
前記発音具１０ｂの固定部材は、強磁性部材である磁石１５ａとヨーク１５ｂである。図６は、実施の形態２に係る固定部材の断面図であり、磁石１５ａはヨーク１５ｂに内包されている。このように、磁石１５ｂとヨーク１５ｂを組み合わせることにより、磁力を高めることができる。そして、取付対象物は磁性を有するため、磁場引力により発音具１０ｂのテーブルＢに対する吸着力を高めることができ、発音具１０ｂの安定性の向上及び超磁歪アクチュエータ２のテーブルＢへの荷重を付加することができる。さらに、実施の形態２に係る発音具１０ｂの固定部材は磁石１５ａであるため、取り外しも容易であり、適宜な場所に移動して使用することができる。
【００４３】
図５（ａ）に示すように、発音具１０ｂがテーブルＢに取り付けられない状態では、磁石１５ａとテーブルＢが吸引せず、ゴム材１３は圧縮力を受けず弾性変形しない。これ対して、発音具１０ｂがテーブルＢに取り付けられると、図５（ｂ）に示すように、磁石１５ａの磁力により、ゴム材１３が圧縮力を受け、弾性変形する。図５に示す発音具１０ｂは、高さ方向においてΔＬ分圧縮変形する。この際のテーブルＢに対する発音具１０ｂの力Ｆは、超磁歪アクチュエータ２を含む発音具１０ｂの自重Ｆ１＋磁石１５ａの引力Ｆ２となる。すなわち、磁石１５ａの磁力分だけ、超磁歪アクチュエータ２の設置力が高まり、振動の伝達性を向上させることができる。
【００４４】
尚、本実施の形態２では、取付対象物であるテーブルＢが磁性金属であるため超磁歪アクチュエータ２を直接テーブルＢに固定したが、テーブルＢが磁性金属でない場合には、超磁歪アクチュエータ２とテーブルＢとの間に磁性金属からなる薄板１７を設けることが望ましい（図７参照）。これにより、超磁歪アクチュエータ２をテーブルＢに固定化可能となる。
【００４５】
以上のように実施の形態２によっても、超磁歪アクチュエータ２を用いた発音具１０ｂを取付対象物であるテーブルＢに適切な配置で取り付けることができ、ゴム材１３による振動の吸収により外部への音漏れを防ぐことができる。
【００４６】
以上、本発明に係る超磁歪アクチュエータを用いた発音具の実施形態を例示的に説明したが、本発明はこれらに限られず、可能な限りこれらの組み合わせをも含むものである。
【図面の簡単な説明】
【００４７】
【図１】実施の形態１に係る超磁歪アクチュエータを用いた発音具の取付状態を示す斜視図である。
【図２】実施の形態１に係る超磁歪アクチュエータを用いた発音具の断面図である。
【図３】超磁歪アクチュエータの断面図である。
【図４】実施の形態１に係る超磁歪アクチュエータを用いた発音具の断面図である。
【図５】実施の形態２に係る超磁歪アクチュエータを用いた発音具の断面図である。
【図６】実施の形態２に係る固定部材の断面図である。
【図７】実施の形態２に係る超磁歪アクチュエータを用いた発音具の断面図である。
【符号の説明】
【００４８】
２  超磁歪アクチュエータ
３  バッテリー駆動アンプ
４  ＰＤＡ
１０ａ、１０ｂ  発音具
１１  保持部材
１２  吸盤
１３  ゴム材
１４  螺子
１５ａ  磁石
１５ｂ  ヨーク
１６  鏡面薄板
１７  薄板
２１  ケース
２１ａ  ケース本体
２１ｂ  底面部
２１ｃ  第３凹部
２１ｄ  第４凹部
２１ｅ  つば部
２２  可動ロッド
２２ａ  第２凹部
２２ｂ  フランジ
２２ｃ  段部
２３  蓋
２３ａ  第１凹部
２３ｂ  穴
２４  皿ばね
２４ａ  穴
２５，２６  磁石
２７  超磁歪素子
２８  コイル
２９  ボビン
Ａ，Ｂ  テーブル
【図１】
2007081838.tif 000003
【図２】
2007081838.tif 000004
【図３】
2007081838.tif 000005
【図４】
2007081838.tif 000006
【図５】
2007081838.tif 000007
【図６】
2007081838.tif 000008
【図７】
2007081838.tif 000009